(57)【要約】      （修正有）【課題】複数の排紙トレイに用紙を振り分けることができる用紙搬送装置を提供する。【解決手段】複数の排紙トレイに対して用紙を振り分けて搬送する用紙搬送装置は、角度を変更することにより、複数の排紙トレイのそれぞれに用紙を導くフラッパ１２と、フラッパに沿って移動した用紙を各排紙トレイに排出させる搬送ローラ１３と、フラッパおよび搬送ローラに接続されており、回転動作によって、フラッパの角度を変更するとともに、複数の排紙トレイに対する搬送ローラの位置を変更するリンク部材１４ａ〜１４ｄと、リンク部材を第１の回転方向に付勢する付勢部材１８と、付勢部材の付勢力に抗して、リンク部材を、第１の回転方向とは逆方向である第２の回転方向に回転させるアクチュエータ１７と、を備えている。【選択図】図２
2010180061.tif 000002
【特許請求の範囲】
【請求項１】
複数の排紙トレイに対して用紙を振り分けて搬送する用紙搬送装置であって、
角度を変更することにより、前記複数の排紙トレイのそれぞれに用紙を導くフラッパと、
前記フラッパに沿って移動した用紙を前記各排紙トレイに排出させる搬送ローラと、
前記フラッパおよび前記搬送ローラに接続されており、回転動作によって、前記フラッパの角度を変更するとともに、前記複数の排紙トレイに対する前記搬送ローラの位置を変更するリンク部材と、
前記リンク部材を第１の回転方向に付勢する付勢部材と、
前記付勢部材の付勢力に抗して、前記リンク部材を、前記第１の回転方向とは逆方向である第２の回転方向に回転させるアクチュエータと、
を備えていることを特徴とする用紙搬送装置。
【請求項２】
前記アクチュエータは、前記リンク部材に接続されたソレノイドであることを特徴とする請求項１に記載の用紙搬送装置。
【請求項３】
前記ソレノイドは、通電により、前記リンク部材を前記第２の回転方向に回転させ、通電の遮断により、前記リンク部材の前記第１の回転方向への回転を許容することを特徴とする請求項２に記載の用紙搬送装置。
【請求項４】
用紙に画像を形成する画像形成部と、
前記画像形成部によって画像が形成された用紙を前記複数の排紙トレイに搬送する、請求項１に記載の用紙搬送装置と、
前記画像形成部からの用紙が積載される処理トレイと、
前記処理トレイに積載された用紙に対して後処理を行う後処理ユニットと、を備え、
前記用紙搬送装置は、前記排紙トレイに搬送する前に、前記画像形成部からの用紙を前記処理トレイに向かわせることを特徴とする画像形成装置。
【請求項５】
前記用紙搬送装置の前記搬送ローラは、前記画像形成部からの用紙が前記処理トレイに積載されるまで、前記処理トレイから離れていることを特徴とする請求項４に記載の画像形成装置。
【請求項６】
前記搬送ローラは、前記画像形成部からの用紙が前記処理トレイに積載された後に、前記リンク部材の回転動作によって前記処理トレイ上の用紙に接触することを特徴とする請求項５に記載の画像形成装置。
【請求項７】
前記搬送ローラは、用紙を前記排紙トレイに移動させるときの回転方向とは逆方向に回転して、前記処理トレイに積載された用紙を前記後処理ユニットの処理位置まで移動させることを特徴とする請求項６に記載の画像形成装置。
【請求項８】
前記搬送ローラは、前記後処理ユニットによる後処理が行われている用紙に接触していることを特徴とする請求項７に記載の画像形成装置。
【発明の詳細な説明】
【技術分野】
【０００１】
本発明は、複数の排紙トレイに対して用紙を振り分けて搬送する技術に関するものである。
【背景技術】
【０００２】
画像形成装置では、画像が形成された用紙を排出するためのスペース（排紙スペース）が必要である。画像形成装置の上下方向において、スキャナおよび画像形成部の間に、排紙スペースを設けているものがある。排紙スペースの大きさは、スキャナおよび画像形成部の位置関係等に応じて規定される。
【発明の概要】
【発明が解決しようとする課題】
【０００３】
画像形成装置の大型化を抑制しようとすれば、排紙スペースは制限される。そこで、限られた排紙スペースを効率良く利用する必要がある。
【課題を解決するための手段】
【０００４】
本発明の一態様は、複数の排紙トレイに対して用紙を振り分けて搬送する用紙搬送装置であって、角度を変更することにより、複数の排紙トレイのそれぞれに用紙を導くフラッパと、フラッパに沿って移動した用紙を各排紙トレイに排出させる搬送ローラと、フラッパおよび搬送ローラに接続されており、回転動作によって、フラッパの角度を変更するとともに、複数の排紙トレイに対する搬送ローラの位置を変更するリンク部材と、リンク部材を第１の回転方向に付勢する付勢部材と、付勢部材の付勢力に抗して、リンク部材を、第１の回転方向とは逆方向である第２の回転方向に回転させるアクチュエータと、を備えている。
【０００５】
本発明の一態様である画像形成装置は、用紙に画像を形成する画像形成部と、画像形成部によって画像が形成された用紙を複数の排紙トレイに搬送する上記用紙搬送装置と、画像形成部からの用紙が積載される処理トレイと、処理トレイに積載された用紙に対して後処理を行う後処理ユニットと、を備えている。そして、用紙搬送装置は、排紙トレイに搬送する前に、画像形成部からの用紙を処理トレイに向かわせる。
【発明の効果】
【０００６】
本発明によれば、リンク部材の回転に応じてフラッパの角度を変更するとともに、リンク部材の回転に応じて搬送ローラの位置を変更することにより、用紙を複数の排紙トレイに振り分けることができる。
【図面の簡単な説明】
【０００７】
【図１】本発明の第１の実施形態である画像形成装置の構成を示す概略図である。
【図２】第１の実施形態における搬送路切替機構の斜視図である。
【図３】第１の実施形態において、搬送整合ローラの駆動機構を示す概略図である。
【図４】搬送整合ローラが上側ピンチローラに接触しているときの搬送路切替機構を示す概略図である。
【図５】搬送整合ローラが下側ピンチローラに接触しているときの搬送路切替機構を示す概略図である。
【図６】図５に示す状態における搬送整合ローラの駆動機構を示す概略図である。
【図７】駆動モータおよびソレノイドを駆動する回路を示す図である。
【図８】搬送路切替機構の制御を示すフローチャートである。
【発明を実施するための形態】
【０００８】
以下、本発明の実施形態について図面を参照しつつ説明する。
（第１の実施形態）
【０００９】
本発明の第１の実施形態である用紙搬送装置について説明する。まず、本実施形態の用紙搬送装置を備えた画像形成装置について、図１を用いて説明する。図１は、画像形成装置（ＭＦＰ:Multi Function Peripheral）の概略を示す正面図である。
【００１０】
画像形成装置１００は、複数の給紙カセット１０１を有しており、各給紙カセット１０１には、複数の用紙が収容される。各給紙カセット１０１に収容された複数の用紙は、ピックアップローラによって１枚ずつ分離されて、用紙搬送路に供給される。そして、用紙は、用紙搬送路を通過して、画像形成部１０２に供給される。
【００１１】
画像形成部１０２は、画像データ等に基づいて、用紙に現像剤像を形成する。画像データ等には、例えば、外部機器（例えば、Personal Computer）から画像形成装置１００に送信された画像データや、画像読取部１０３の読み取り動作によって生成された画像データが含まれる。
【００１２】
画像読取部１０３は、用紙原稿およびブック原稿の画像をスキャンすることにより、画像データを生成する。図１では、画像読取部１０３の一部を示している。画像読取部１０３の上方には、画像読取部１０３に対して原稿を自動的に搬送するための装置（ＡＤＦ：Auto Document Feeder）１０４が配置されている。
【００１３】
画像形成装置１００の上部には、画像形成装置１００に対して各種の情報（公知）を入力するための操作パネル１０５が設けられている。操作パネル１０５は、例えば、ボタンスイッチや液晶パネルで構成することができる。
【００１４】
画像形成部１０２においては、具体的には、感光体の感光面に対して、画像データに応じた静電潜像を形成した後に、現像剤を供給して現像剤像を形成する。感光体の表面に形成された現像剤像は、用紙に転写される。感光体の表面に用紙を接触させることにより、現像剤像を用紙に転写することができる。また、感光体上の現像剤像を、中間転写ベルトに転写した後に、中間転写ベルトから用紙に転写することができる。
【００１５】
用紙に転写された現像剤像は、定着器（不図示）によって用紙に加熱定着される。現像剤像が定着された用紙は、用紙搬送路を通過し、搬送ローラ１０６からフィニッシャ（用紙搬送装置）１０に搬送される。フィニッシャ１０は、搬送ローラ１０６からの用紙を排紙スペースＳに排出する。
【００１６】
排紙スペースＳは、画像形成装置１００の上下方向において、画像形成部１０２および画像読取部１０３の間に位置している。言い換えれば、画像形成装置１００の上方から見たときに、排紙スペースＳは、画像形成部１０２や画像読取部１０３と重なるように配置されている。排紙スペースＳには、第１排紙トレイ２１および第２排紙トレイ２２が配置されており、第２排紙トレイ２２は、第１排紙トレイ２１の上方に位置している。排紙トレイ２１，２２のそれぞれには、フィニッシャ１０から搬送された用紙が積載される。
【００１７】
フィニッシャ１０は、排紙スペースＳと隣り合う位置に配置されており、画像形成装置１００の上下方向において、画像形成部１０２および画像読取部１０３の間に位置している。フィニッシャ１０は、搬送ローラ１０６から搬送された用紙を第１排紙トレイ２１や第２排紙トレイ２２に振り分ける。具体的には、フィニッシャ１０に含まれる搬送路切替機構１１が、搬送ローラ１０６からの用紙を第１排紙トレイ２１や第２排紙トレイ２２に振り分けている。
【００１８】
フィニッシャ１０は、ステイプラ２３を有しており、ステイプラ２３は、搬送ローラ１０６からの用紙に対してステイプル処理を行う。また、フィニッシャ１０は、第１排紙トレイ２１および第２排紙トレイ２２に対応した位置に、ピンチローラ１９ａ，１９ｂを有している。
【００１９】
次に、搬送路切替機構１１の具体的な構造について、図２を用いて説明する。
【００２０】
搬送路切替機構１１は、フラッパ１２と、搬送整合ローラ１３と、一対のリンク部材１４ａ，１４ｂを有する。一対のリンク部材１４ａ，１４ｂは、フラッパ１２および搬送整合ローラ１３を互いに連結する。リンク部材１４ａ，１４ｂは、フィニッシャ１０の本体に支持されており、回転軸ＲＡの周りで回転する。
【００２１】
第１支持バー１４ｃの両端は、一対のリンク部材１４ａ，１４ｂに固定されており、第１支持バー１４ｃは、回転軸ＲＡ上に配置されている。第１支持バー１４ｃは、リンク部材１４ａ，１４ｂの回転に応じて回転する。また、第１支持バー１４ｃには、フラッパ１２が固定されており、リンク部材１４ａ，１４ｂの回転に応じてフラッパ１２の向きが変化する。言い換えれば、フラッパ１２は、回転軸ＲＡを中心としてスイングし、支持バー１４ｃの回転に応じて、フラッパ１２の先端部１２ａの位置が変化する。
【００２２】
第２支持バー１４ｄは、一対のリンク部材１４ａ，１４ｂに対して回転可能に取り付けられており、回転軸ＲＡから離れた位置に配置されている。第２支持バー１４ｄには、２つの搬送整合ローラ１３が固定されており、第２支持バー１４ｄが回転することによって、搬送整合ローラ１３が回転する。
【００２３】
本実施形態では、２つの搬送整合ローラ１３を用いているが、搬送整合ローラ１３の数は、１つであってもよいし、３つ以上であってもよい。
【００２４】
第１プーリ１５ａは、第１支持バー１４ｃに対して回転可能に取り付けられており、第１プーリ１５ａには、ギヤ１５ｂが一体的に形成されている。第２プーリ１５ｃは、第２支持バー１４ｄに固定されている。第１プーリ１５ａおよび第２プーリ１５ｃは、図３に示すように、ベルト１５ｄと噛み合っている。図２では、ベルト１５ｄを省略している。ベルト１５ｄは、第１プーリ１５ａの回転力を第２プーリ１５ｃに伝達する。
【００２５】
第１プーリ１５ａと一体的に回転するギヤ１５ｂには、図３に示すように、ギヤ列１６ａ，１６ｂを介して駆動モータ１６ｃが接続されている。第１プーリ１５ａおよびギヤ１５ｂは、回転軸ＲＡ上に配置されているため、リンク部材１４ａ，１４ｂが回転しても第１プーリ１５ａおよびギヤ１５ｂの位置は変化しない。このため、ギヤ１５ｂは、ギヤ１６ａと噛み合ったままとなる。
【００２６】
駆動モータ１６ｃの駆動力は、ギヤ列１６ｂ，１６ａおよびギヤ１５ｂを介して第１プーリ１５ａに伝達され、第１プーリ１５ａが回転する。第１プーリ１５ａの回転に応じてベルト１５ｄが移動し、ベルト１５ｄが第２プーリ１５ｃを回転させる。第２プーリ１５ｃが回転すれば、搬送整合ローラ１３を回転させることができる。駆動モータ１６ｃの駆動方向を切り替えれば、搬送整合ローラ１３の回転方向Ｄ１，Ｄ２（図３参照）を切り替えることができる。
【００２７】
一方、リンク部材１４ａの一端１４ａ１には、コイルバネ（付勢部材）１８の一端が固定されており、コイルバネ１８の他端は、フィニッシャ１０の本体に固定されている。コイルバネ１８は、リンク部材１４ａを矢印ＲＡ１の方向に付勢している。また、リンク部材１４ａの一端１４ａ１には、ソレノイド１７が接続されている。
【００２８】
ソレノイド１７は、可動鉄芯１７ａを有しており、可動鉄芯１７ａの端部がリンク部材１４ａの一端１４ａ１に固定されている。可動鉄芯１７ａは、ソレノイド１７の通電および非通電を切り替えることにより、移動する。ソレノイド１７の通電を行えば、可動鉄芯１７ａは、コイルバネ１８の付勢力に抗する方向に移動して、リンク部材１４ａを矢印ＲＡ２の方向に回転させる。ソレノイド１７への通電を禁止すると、可動鉄芯１７ａによるリンク部材１４ａの回転が解除され、リンク部材１４ａは、コイルバネ１８の付勢力によって矢印ＲＡ１の方向に回転する。
【００２９】
リンク部材１４ａが回転すれば、リンク部材１４ｂも回転し、リンク部材１４ａ，１４ｂの回転に応じて、搬送整合ローラ１３やフラッパ１２を移動させることができる。
【００３０】
リンク部材１４ａが矢印ＲＡ２の方向に回転すれば、図４に示すように、搬送整合ローラ１３を上側ピンチローラ１９ａに接触させることができる。搬送整合ローラ１３が上側ピンチローラ１９ａに接触しているとき、フラッパ１２の先端部１２ａは、搬送ローラ１０６のニップ部よりも下方に位置している。搬送ローラ１０６を通過した用紙は、フラッパ１２の上面に接触し、フラッパ１２に沿って移動して、上側ピンチローラ１９ａに向かう。上側ピンチローラ１９ａは、搬送整合ローラ１３とともに回転して、搬送ローラ１０６からの用紙を第２排紙トレイ２２に搬送する。
【００３１】
リンク部材１４ａが矢印ＲＡ１の方向に回転すれば、図５に示すように、搬送整合ローラ１３を下側ピンチローラ１９ｂに接触させることができる。搬送整合ローラ１３が下側ピンチローラ１９ｂに接触しているとき、フラッパ１２の先端部１２ａは、搬送ローラ１０６のニップ部よりも上方に位置している。搬送ローラ１０６を通過した用紙は、フラッパ１２の下面に接触し、フラッパ１２に沿って移動して、下側ピンチローラ１９ｂに向かう。下側ピンチローラ１９ｂは、搬送整合ローラ１３とともに回転する。
【００３２】
搬送路切替機構１１の下方には、図４および図５に示すように、処理トレイ３０が配置されている。搬送ローラ１０６から下側ピンチローラ１９ｂに向かう用紙は、まず、処理トレイ３０に積載される。処理トレイ３０の端には、整合爪３１が設けられており、整合爪３１は、処理トレイ３０に積載された用紙を整合するために用いられる。
【００３３】
処理トレイ３０に積載された用紙が、搬送整合ローラ１３および下側ピンチローラ１９ｂによって挟まれているときに、搬送整合ローラ１３を図６の矢印Ｄ２の方向に回転させれば、処理トレイ３０に積載された用紙を第１排紙トレイ２１に搬送することができる。
【００３４】
また、搬送整合ローラ１３を図６の矢印Ｄ１の方向に回転させれば、用紙を処理トレイ３０の整合爪３１に接触させることができる。整合爪３１に接触している用紙は、搬送整合ローラ１３および下側ピンチローラ１９ｂによって挟まれたままである。
【００３５】
複数の用紙を整合爪３１に接触させれば、複数の用紙を整合することができる。そして、整合された複数の用紙に対しては、ステイプラ２３によってステイプル処理を行うことができる。ステイプル処理が施された用紙は、搬送整合ローラ１３を図６の矢印Ｄ２の方向に回転させることにより、第１排紙トレイ２１に移動させることができる。
【００３６】
次に、フィニッシャ１０を動作させるための回路構成について、図７を用いて説明する。
【００３７】
ＣＰＵ４０は、画像形成装置１００の動作を制御しており、タイマ４１を備えている。駆動モータ１６ｃは、ＣＰＵ４０からの制御信号に基づいて動作し、上述したように搬送整合ローラ１３を回転させる。駆動モータ１６ｃとしては、例えば、ステッピングモータを用いることができる。
【００３８】
ＣＰＵ４０は、ソレノイド１７への通電を許可したり、ソレノイド１７への通電を禁止したりする。具体的には、ソレノイド１７は、スイッチ４２を介して電源４３に接続されており、ＣＰＵ４０は、スイッチ４２のオンおよびオフを制御する。ソレノイド１７は、上述したように、通電および非通電の切り替えに応じて、リンク部材１４ａ，１４ｂを回転させる。また、ＣＰＵ４０は、ステイプラ２３の動作を制御する。
【００３９】
次に、本実施形態におけるフィニッシャ１０の動作について、図８を用いて説明する。図８に示す処理は、ＣＰＵ４０によって行われる。フィニッシャ１０の搬送路切替機構１１は、初期状態として、搬送整合ローラ１３が下側ピンチローラ１９ｂに接触した状態（図５に示す状態）にある。初期状態では、ソレノイド１７への通電が禁止されている。
【００４０】
ＣＰＵ４０は、定着器から搬送ローラ１０６に搬送される用紙に対して、後処理が必要であるか否かを判別する（ＡＣＴ１０１）。後処理に関する情報は、ユーザが操作パネル１０５を操作することによって入力したり、画像形成装置１００の外部から通信によって入力したりすることができる。本実施形態では、後処理として、ステイプラ２３によるステイプル処理を行う。
【００４１】
用紙に対して後処理が必要でなければ、ＣＰＵ４０は、スイッチ４２をオフからオンに切り替えることにより、ソレノイド１７への通電を許可する（ＡＣＴ１０２）。ソレノイド１７の通電に伴って可動鉄芯１７ａが移動することにより、リンク部材１４ａは、コイルバネ１８の付勢力に抗して、矢印ＲＡ２の方向に回転する。搬送整合ローラ１３は、下側ピンチローラ１９ｂから離れ、上側ピンチローラ１９ａに接触する。
【００４２】
ＣＰＵ４０は、駆動モータ１６ｃを駆動することにより、搬送整合ローラ１３を図３の矢印Ｄ１の方向（正方向）に回転させる（ＡＣＴ１０３）。図３および図４は、搬送整合ローラ１３が上側ピンチローラ１９ａに接触しているときの図である。
【００４３】
搬送ローラ１０６から排出された用紙は、フラッパ１２に沿って移動し、上側ピンチローラ１９ａに向かって移動する。用紙は、搬送整合ローラ１３および上側ピンチローラ１９ａの回転によって、第２排紙トレイ２２に排出される。
【００４４】
ＡＣＴ１０１の処理において、ＣＰＵ４０は、用紙の後処理が必要であると判断したときには、搬送ローラ１０６から排出された用紙がフラッパ１２によって処理トレイ３０の側に導かれるまで待機する（ＡＣＴ１０４）。具体的には、用紙の先端が搬送ローラ１０６を通過してから所定時間が経過するまで、搬送路切替機構１１を図５に示す状態とする。用紙の先端が搬送ローラ１０６を通過したか否かは、センサを用いて検出することができる。
【００４５】
用紙の先端が処理トレイ３０に向かって移動したときには、ＣＰＵ４０は、ソレノイド１７の通電を許可することにより、リンク部材１４ａを矢印ＲＡ２の方向に回転させて、搬送整合ローラ１３を下側ピンチローラ１９ｂ（処理トレイ３０）から離れる方向に移動させる（ＡＣＴ１０５）。
【００４６】
これにより、搬送ローラ１０６から排出された用紙の先端は、搬送整合ローラ１３および下側ピンチローラ１９ｂの間を通過する。本実施形態では、搬送ローラ１０６から排出された用紙の移動が、搬送整合ローラ１３によって妨げられないようにしている。
【００４７】
ＡＣＴ１０５の処理では、搬送整合ローラ１３および下側ピンチローラ１９ｂの間に、用紙の移動スペースが形成されていればよい。搬送整合ローラ１３は、上側ピンチローラ１９ａに接触する位置まで移動させてもよいし、移動させなくてもよい。
【００４８】
ＣＰＵ４０は、タイマ４１を用いて所定時間が経過するまで、搬送整合ローラ１３を下側ピンチローラ１９ｂから離れた位置で停止させる（ＡＣＴ１０６）。所定時間とは、搬送整合ローラ１３を下側ピンチローラ１９ｂから離れる方向に移動させたタイミングから、搬送ローラ１０６からの用紙の排出が完了するタイミングまでの時間である。
【００４９】
本実施形態では、搬送ローラ１０６に用紙が到達し、搬送ローラ１０６から用紙が排出されるまでの時間を考慮して、所定時間を予め設定している。搬送ローラ１０６から用紙全体が排出されたのを、センサによって検出することもできる。
【００５０】
搬送ローラ１０６から排出された用紙は、処理トレイ３０に積載される。所定時間が経過すると、ＣＰＵ４０は、ソレノイド１７の通電を禁止することにより、リンク部材１４ａを矢印ＲＡ１の方向に回転させる（ＡＣＴ１０７）。これにより、搬送整合ローラ１３が下側ピンチローラ１９ｂに向かって移動し、処理トレイ３０に積載された用紙は、搬送整合ローラ１３および下側ピンチローラ１９ｂによって挟まれる。
【００５１】
ＣＰＵ４０は、駆動モータ１６ｃを駆動することにより、搬送整合ローラ１３を図６の矢印Ｄ１の方向（正方向）に回転させる（ＡＣＴ１０８）。これにより、搬送整合ローラ１３および下側ピンチローラ１９ｂに挟まれた用紙は、処理トレイ３０に沿って移動しながら、ステイプラ２３に向かう。用紙の端は、処理トレイ３０の整合爪３１に接触することにより、位置決めされる。
【００５２】
例えば、駆動モータ（ステッピングモータ）１６ｃに入力される駆動パルス数を制御することにより、用紙が整合爪３１に接触する位置まで用紙を移動させることができる。
【００５３】
ＣＰＵ４０は、後処理を行うすべての用紙に対して整合処理が完了したか否かを判別する（ＡＣＴ１０９）。すべての用紙に対する整合処理が完了していなければ、ＡＣＴ１０１の処理に戻る。また、すべての用紙に対する整合処理が完了していれば、ＣＰＵ４０は、ステイプラ２３を駆動することにより、位置決めされた複数の用紙に対してステイプル処理を行わせる（ＡＣＴ１１０）。
【００５４】
ステイプル処理が完了すると、ＣＰＵ４０は、駆動モータ１６ｃを駆動することにより、搬送整合ローラ１３を図６の矢印Ｄ２の方向（逆方向）に回転させる（ＡＣＴ１１１）。搬送整合ローラ１３は、ステイプル処理された複数の用紙を、第１排紙トレイ２１に向かって移動させる。
【００５５】
本実施形態では、後処理が行われた用紙が第１排紙トレイ２１に積載され、後処理が行われていない用紙が第２排紙トレイ２２に積載される。そして、画像形成部１０２および画像読取部１０３の間に形成された狭いスペース（排紙スペース）Ｓを効率良く利用しながら、用紙を振り分けることができる。
【００５６】
なお、本実施形態では、後処理を行っているが、後処理を省略することもできる。すなわち、搬送路切替機構１１を用いて、搬送ローラ１０６からの用紙を、第１排紙トレイ２１および第２排紙トレイ２２に振り分けるだけでもよい。具体的には、ジョブに応じて、振り分けることができる。例えば、ＦＡＸの用紙を、第１排紙トレイ２１に排出させ、コピー又はプリントされた用紙を、第２排紙トレイ２２に排出させることができる。
【００５７】
また、本実施形態では、排紙スペースＳに、２つの排紙トレイ２１，２２を設けているが、３つ以上の排紙トレイを設けることもできる。３つ以上の排紙トレイを用いる場合には、搬送整合ローラ１３の移動軌跡に対して、ピンチローラを進入させたり、退避させたりする機構を設けることができる。搬送整合ローラ１３の移動軌跡にピンチローラを進入させれば、このピンチローラに搬送整合ローラを接触させることができる。そして、ピンチローラに対応して配置された排紙トレイに用紙を排出させることができる。
【００５８】
本実施形態では、リンク部材１４ａ，１４ｂを回転軸ＲＡの周りで回転させるために、ソレノイド１７およびコイルバネ１８を用いているが、リンク部材１４ａ，１４ｂを回転させることができる他の機構を用いることもできる。例えば、モータの回転力を、ギヤ列を介してリンク部材１４ａに伝達し、リンク部材１４ａを回転させることができる。モータを所定の回転角度で停止させれば、搬送路切替機構１１を、図４および図５に示す状態の間で切り替えることができる。
【００５９】
本発明を特定の態様により詳細に説明したが、本発明の精神および範囲を逸脱しないかぎり、様々な変更および改質がなされ得ることは、当業者には自明であろう。
【符号の説明】
【００６０】
１０：フィニッシャ、１１：搬送路切替機構、１２：フラッパ、１３：搬送整合ローラ、
１４ａ：リンク部材、１４ｂ：リンク部材、１４ｃ：第１支持バー、
１４ｄ：第２支持バー、１５ａ：第１プーリ、１５ｂ：ギヤ、１６ａ：ギヤ（ギヤ列）、
１６ｂ：ギヤ（ギヤ列）、１６ｃ：駆動モータ、１７：ソレノイド、１８：コイルバネ、
２１：第１排紙トレイ、２２：第２排紙トレイ、２３：ステイプラ、
１００：画像形成装置、１０１：給紙カセット、１０２：画像形成部、
１０３：画像読取部、１０４：ＡＤＦ、１０５：操作パネル、１０６：搬送ローラ
【先行技術文献】
【特許文献】
【００６１】
【特許文献１】特開２００７−５５７２２号公報
【図１】
2010180061.tif 000003
【図２】
2010180061.tif 000004
【図３】
2010180061.tif 000005
【図４】
2010180061.tif 000006
【図５】
2010180061.tif 000007
【図６】
2010180061.tif 000008
【図７】
2010180061.tif 000009
【図８】
2010180061.tif 000010